(57)【要約】【課題】システムを構成する機器が少なくコストパフォーマンスに優れる車内案内表示システムを得る。【解決手段】車内案内表示システムは、列車情報または動画像情報を案内するために連結された複数の車両に表示する車内案内表示システムにおいて、上記列車情報、上記動画像情報および表示コマンドを含む伝送データを２つのチャネルから送出する中央装置と、上記２つのチャネルの間に直列に接続されるとともに上記伝送データを送受信し、且つ該当する上記列車情報または上記動画像情報をディスプレイに表示する複数の表示装置と、を備える。【選択図】図１
2011154164.tif 000002
【特許請求の範囲】
【請求項１】
列車情報または動画像情報を案内するために連結された複数の車両に表示する車内案内表示システムにおいて、
上記列車情報、上記動画像情報および表示コマンドを含む伝送データを２つのチャネルから送出する中央装置と、
上記２つのチャネルの間に直列に接続されるとともに上記伝送データを送受信し、且つ該当する上記列車情報または上記動画像情報をディスプレイに表示する複数の表示装置と、
を備えることを特徴とする車内案内表示システム。
【請求項２】
上記直列に接続される複数の表示装置の内列の中間に配置される１つの上記表示装置は、両側に隣接して配置される上記中央装置または上記表示装置から応答要求を受信し且つ該表示装置に応答を送信することを特徴とする請求項１に記載の車内案内表示システム。
【発明の詳細な説明】
【技術分野】
【０００１】
この発明は、列車客室内の乗客に列車情報、動画像情報を提供する車内案内表示システムに関するものである。
【背景技術】
【０００２】
従来の車内案内表示システムでは、デジタル伝送路を用いて伝送された列車情報は列車情報装置から伝送装置に対しデジタル伝送路を用いて伝送され、画像記憶配信装置から伝送装置にはデジタル伝送路を用いて動画像情報および表示コマンドを含む伝送データが伝送され、伝送装置から表示装置には車両内伝送路を用いて列車情報、動画像情報および表示コマンドを含む伝送データが伝送され、各伝送装置間は車両間伝送路を用いて動画像情報および表示コマンドを含む伝送データが伝送され、表示装置と同一車両内の他の表示装置との間は表示器間伝送路を介して伝送データが伝送される（例えば、特許文献１参照）。
【先行技術文献】
【特許文献】
【０００３】
【特許文献１】特開２００９−１１１４９０号公報
【発明の概要】
【発明が解決しようとする課題】
【０００４】
しかし、各列車に伝送のための伝送装置を設置する必要があり、コストが掛るという問題がある。
【０００５】
この発明は、前記のような課題を解決するためになされたものであり、表示装置に列車情報を配信する中央装置との伝送機能と表示装置間で列車情報を転送する伝送機能を持たせることで、車両毎に伝送装置を設置しない車内案内表示システムを構築し、且つ各号車の右側扉表示器、左側扉表示器、列車情報装置に送信、受信それぞれに対して２ポートが設けられ、ループ状に接続することで、１箇所に異常が発生したときでもバックアップ出来る車内案内表示システムを得ることを目的とする。
【課題を解決するための手段】
【０００６】
この発明に係る車内案内表示システムは、列車情報または動画像情報を案内するために連結された複数の車両に表示する車内案内表示システムにおいて、上記列車情報、上記動画像情報および表示コマンドを含む伝送データを２つのチャネルから送出する中央装置と、上記２つのチャネルの間に直列に接続されるとともに上記伝送データを送受信し、且つ該当する上記列車情報または上記動画像情報をディスプレイに表示する複数の表示装置と、を備える。
【発明の効果】
【０００７】
この発明に係る車内案内表示システムは、各車両に設置される表示装置に中央装置および他の表示装置との伝送機能を設けることにより、別途伝送装置を各車両に設ける必要がなく、車両へ搭載する機器を減らすことができ、結果としてコストパフォーマンスが高くなるという効果を奏する。
【図面の簡単な説明】
【０００８】
【図１】この発明の実施の形態１に係る車内案内表示システムの概略図である。
【図２】この発明の実施の形態１に係る車内案内表示システムの具体例を表す図である。
【図３】図２の１箇所の伝送路で断が発生したときの車内案内表示システムの様子である。
【図４】この発明の実施の形態２に係る車内案内表示システムの一例を表す図である。
【発明を実施するための形態】
【０００９】
以下、本発明の車内案内表示システムの好適な実施の形態につき図面を用いて説明する。
実施の形態１．
図１は、この発明の実施の形態１に係る車内案内表示システムの概略図である。
この発明の実施の形態１に係る車内案内表示システムは、列車情報、動画像情報および表示コマンドを含む伝送データを２つのチャネル２ａ、２ｂから送出する中央装置３と、中央装置３の２つのチャネル２ａ、２ｂの間に直列に接続されるとともに伝送データを送受信し、且つ該当する列車情報または動画像情報を図示しないディスプレイに表示する複数の表示装置１と、を備える。
この発明の実施の形態１に係る車内案内表示システムでは、中央装置３に直接接続された表示装置１を最上位と位置付け、中央装置３との間に介在する表示装置１の台数が多い程下位側に位置付ける。
【００１０】
列車情報は、列車を識別するための列車番号を含む列車識別情報、始発駅からのキロ程、列車の走行エリアを示すエリア番号を含む列車位置情報、停車駅情報や到着予想時刻を含む列車運行情報、到着時刻、乗客人数を含む列車現況情報、ドア開閉指令、停止指令等を含む列車指令情報、および温度情報、気圧情報、天候情報を含む気象情報を含む列車関連の各情報を含む。
【００１１】
表示コマンドは、例えば動画像情報の表示装置１に対する表示順序や表示タイミングや、これらの表示装置１に対する表示画像切替情報などに関するコマンドデータである。
【００１２】
中央装置３は、直接接続している表示装置１が受信した応答に含まれる伝送データおよびその表示装置１とその表示装置１より下位のすべての表示装置間の伝送状態データを受信する。
【００１３】
表示装置１は、直接接続している上位の表示装置１から送信される応答要求を受信し、それを受信した後、直接接続している下位の表示装置１に応答要求を送信する。
また、表示装置１は、直接接続している下位の表示装置１から送信される応答を受信し、それを受信した後、直接接続している上位の表示装置１に応答を送信する。
【００１４】
応答要求は、表示装置１が直接接続している上位の表示装置１から受信した列車情報および動画像情報、表示コマンドを含む伝送データとその上位の表示装置１とその上位の表示装置１に直接接続されている上位の表示装置１との間の伝送状態データとからなる。
応答は、表示装置１が直接接続している下位の表示装置１から受信した列車情報および動画像情報、表示コマンドを含む伝送データとその下位の表示装置１とその下位の表示装置１より下位のすべての表示装置１との間の伝送状態データとからなる。
【００１５】
表示装置１は、２つの送信・受信ポートが設けられ、通常、上位の表示装置１と直接接続された送信・受信ポート（以下、１ポートと称す）では応答要求の受信および応答の送信、下位の表示装置１と直接接続された送信・受信ポート（以下、２ポートと称す）では応答要求の送信および応答の受信を有効と設定するスイッチを備える。
また、最下位に位置付けられる表示装置１では、上位の表示装置１の一方と直接接続された１ポートでは応答要求の受信および応答の送信、上位の表示装置１の他方と直接接続された２ポートでは応答要求の受信および応答の送信を有効と設定する。そして、この表示装置１では、２ポートで受信した応答要求に２ポートに接続された表示装置１との間の伝送状態データを追加して１ポートに接続された表示装置１に応答する。
【００１６】
一方、所定の周期で応答要求または応答を受信しないときには、伝送路が断と判断し、断の伝送路４に１ポートが接続されている表示装置１は伝送状態データに伝送路４が断であることを含めて応答要求を２ポートに接続される表示装置１に送信する。
また、断の伝送路４に１ポートが接続されている表示装置１とその表示装置１と最下位に位置付けられる表示装置１との間の表示装置１では、応答に含まれる列車情報および動画像情報を図示しないディスプレイに表示する。
【００１７】
なお、通常表示装置１は、受信した応答要求に含まれる列車情報および動画像情報を表示コマンドに従って図示しないディスプレイに表示する。
【００１８】
図２は、この発明の実施の形態１に係る車内案内表示システムの具体例である。ここでは５両の車両２０に配備された表示装置を接続して中央装置から列車情報、動画像情報を各表示装置に提供する場合について説明する。また、各車両２０には２台の表示装置が右側扉と左側扉の上方に配置されている場合を説明する。なお、車両２０の数や各車両２０当たりの表示装置の台数はこれに限るわけではない。
【００１９】
次に、この発明の実施の形態１に係る車内案内表示システムの具体例を説明する。
この車内案内表示システムは、２つの入出力チャネル２ａ、２ｂが設けられる中央装置３、図示しない１号車の左側扉の上方に配置されるとともに中央装置３の入出力チャネル（以下、１ｃｈと略称する）２と伝送路４ａを介して一方の送信・受信ポート（以下、１ポートと略称する）５ａで接続される第１左表示装置５、２号車の左側扉の上方に配置されるとともに第１左表示装置５の他方の送信・受信ポート（以下、２ポートと略称する）５ｂと伝送路４ｂを介して１ポート６ａで接続される第２左表示装置６、３号車の左側扉の上方に配置されるとともに第２左表示装置６の２ポート６ｂと伝送路４ｃを介して１ポート７ａで接続される第３左表示装置７、４号車の左側扉の上方に配置されるとともに第３左表示装置７の２ポート７ｂと伝送路４ｄを介して１ポート８ａで接続される第４左表示装置８、５号車の左側扉の上方に配置されるとともに第４左表示装置８の２ポート８ｂと伝送路４ｅを介して１ポート９ａで接続される第５左表示装置９を備える。なお、表示装置を車両の扉の上方に配置しているが、これは一例であり、設置場所を限定するものではない。
【００２０】
また、この発明の実施の形態１に係る車内案内表示システムは、１号車の右側扉の上方に配置されるとともに中央装置３の他方の入出力チャネル（以下、１ｃｈと略称する）２ｂと伝送路４ｌを介して１ポート１４ａで接続される第１右表示装置１４、２号車の右側扉の上方に配置されるとともに第１右表示装置１４の２ポート１４ｂと伝送路４ｋを介して１ポート１３ａで接続される第２右表示装置１３、３号車の右側扉の上方に配置されるとともに第２右表示装置１３の２ポート１３ｂと伝送路４ｊを介して１ポート１２ａで接続される第３右表示装置１２、４号車の右側扉の上方に配置されるとともに第３右表示装置１２の２ポート１２ｂと伝送路４ｈを介して１ポート１１ａで接続される第４右表示装置１１、５号車の右側扉の上方に配置されるとともに第４右表示装置１１の２ポート１１ｂと伝送路４ｇを介して１ポート１０ａで接続される第５右表示装置１０を備える。
【００２１】
また、この発明の実施の形態１に係る車内案内表示システムでは、第５左表示装置９の２ポート９ｂと第５右表示装置１０の２ポート１０ｂが伝送路４ｆを介して接続される。
すなわち、中央装置３、第１左表示装置５、第２左表示装置６、第３左表示装置７、第４左表示装置８、第５左表示装置９、第５右表示装置１０、第４右表示装置１１、第３右表示装置１２、第２右表示装置１３、第１右表示装置１４は環状（ループ状）に接続されている。
【００２２】
表示装置１は、周期的に上位に位置付けられる中央装置３または表示装置１から送信される応答要求を１ポートで受信し、その応答要求にその表示装置１と上位に位置付けされる中央装置３または表示装置１との間の伝送状態データを追加して得られる応答要求を２ポートから送信する。
【００２３】
また、表示装置１は、周期的に下位に位置付けられる表示装置１から送信される応答を２ポートで受信し、その応答にその表示装置１と下位に位置付けされる表示装置１との間の伝送状態データを追加して得られる応答を１ポートから送信する。
【００２４】
次に、この発明の実施の形態１に係る車内案内表示システムでの動作を説明する。
中央装置３は、第１左表示装置５に伝送データを送信する。
第１左表示装置５は、中央装置３からの伝送データを受信し、受信した伝送データに含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第１左表示装置５は、中央装置３から受信した伝送データに中央装置３と自身との間の伝送状態データを追加した応答要求を第２左表示装置６に送信する。
【００２５】
第２左表示装置６は、第１左表示装置５からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第２左表示装置６は、第１左表示装置５から受信した応答要求に第１左表示装置５と自身との間の伝送状態データを追加した応答要求を第３左表示装置７に送信する。
【００２６】
第３左表示装置７は、第２左表示装置６からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第３左表示装置７は、第２左表示装置６から受信した応答要求に第２左表示装置６と自身との間の伝送状態データを追加した応答要求を第４左表示装置８に送信する。
【００２７】
第４左表示装置８は、第３左表示装置７からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第４左表示装置８は、第３左表示装置７から受信した応答要求に第３左表示装置７と自身との間の伝送状態データを追加した応答要求を第５左表示装置９に送信する。
【００２８】
第５左表示装置９は、第４左表示装置８からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第５左表示装置９は、第４左表示装置８から受信した応答要求に第４左表示装置８と自身との間の伝送状態データを追加した応答要求を第５右表示装置１０に送信する。
【００２９】
中央装置３は、第１右表示装置１４に伝送データを送信する。
第１右表示装置１４は、中央装置３からの伝送データを受信し、受信した伝送データに含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第１右表示装置１４は、中央装置３から受信した伝送データに中央装置３と自身との間の伝送状態データを追加した応答要求を第２右表示装置１３に送信する。
【００３０】
第２右表示装置１３は、第１右表示装置１４からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第２右表示装置１３は、第１右表示装置１４から受信した応答要求に第１右表示装置１４と自身との間の伝送状態データを追加した応答要求を第３右表示装置１２に送信する。
【００３１】
第３右表示装置１２は、第２右表示装置１３からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第３右表示装置１２は、第２右表示装置１３から受信した応答要求に第２右表示装置１３と自身との間の伝送状態データを追加した応答要求を第４右表示装置１１に送信する。
【００３２】
第４右表示装置１１は、第３右表示装置１２からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第４右表示装置１１は、第３右表示装置１２から受信した応答要求に第３右表示装置１２と自身との間の伝送状態データを追加した応答要求を第５右表示装置１０に送信する。
【００３３】
第５右表示装置１０は、第４右表示装置１１からの応答要求を受信し、受信した応答要求に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第５右表示装置１０は、第５左表示装置９からの応答要求を受信する。
【００３４】
第５左表示装置９は、第５右表示装置１０からの応答を受信し、第５右表示装置１０から受信した応答に第５右表示装置１０と自身との間の伝送状態データを追加した応答を第４左表示装置８に送信する。
第４左表示装置８は、第５左表示装置９からの応答を受信し、第５左表示装置９から受信した応答に第５左表示装置９と自身との間の伝送状態データを追加した応答を第３左表示装置７に送信する。
第３左表示装置７は、第４左表示装置８からの応答を受信し、第４左表示装置８から受信した応答に第４左表示装置８と自身との間の伝送状態データを追加した応答を第２左表示装置６に送信する。
第２左表示装置６は、第３左表示装置７からの応答を受信し、第３左表示装置７から受信した応答に第３左表示装置７と自身との間の伝送状態データを追加した応答を第１左表示装置５に送信する。
第１左表示装置５は、第２左表示装置６からの応答を受信し、第２左表示装置６から受信した応答に第２左表示装置６と自身との間の伝送状態データを追加した応答を中央装置３に送信する。
【００３５】
第５右表示装置１０は、第５左表示装置９から受信した応答要求に第５左表示装置９と自身との間の伝送状態データを追加した応答を第４右表示装置１１に送信する。
第４右表示装置１１は、第５右表示装置１０からの応答を受信し、第５右表示装置１０から受信した応答に第５右表示装置１０と自身との間の伝送状態データを追加した応答を第３右表示装置１２に送信する。
第３右表示装置１２は、第４右表示装置１１からの応答を受信し、第４右表示装置１１から受信した応答に第４右表示装置１１と自身との間の伝送状態データを追加した応答を第２右表示装置１３に送信する。
第２右表示装置１３は、第３右表示装置１２からの応答を受信し、第３右表示装置１２から受信した応答に第３右表示装置１２と自身との間の伝送状態データを追加した応答を第１右表示装置１４に送信する。
第１右表示装置１４は、第２右表示装置１３からの応答を受信し、第２右表示装置１３から受信した応答に第２右表示装置１３と自身との間の伝送状態データを追加した応答を中央装置３に送信する。
【００３６】
次に、図２の伝送路４ｄが断のときを説明する。図３は、そのときの様子を示すブロック図である。
このときは第４左表示装置８は、伝送路４ｄが断していると判断し、２ポート８ｂから第５左表示装置９に伝送路４ｄが断しているデータを有する伝送状態データを含む応答要求を送信する。
第５左表示装置９は、第４左表示装置８からの応答要求を受信し、第３左表示装置７から伝送データを入手できないと判断し、２ポート９ｂから第５右表示装置１０に伝送路４ｄが断しているデータを有する伝送状態データを含む応答要求を送信する。
【００３７】
第５右表示装置１０は、第５左表示装置９からの応答要求を受信し、伝送路４ｄが断していることを認識し、第４右表示装置１１からの第５左表示装置９からの応答要求への応答を２ポート１０ｂから送信する。
第５左表示装置９は、第５右表示装置１０からの応答を受信し、受信した応答に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第５左表示装置９は、第５右表示装置１０から受信した応答に第５右表示装置１０と自身との間の伝送状態データを追加した応答を第４左表示装置８に送信する。
【００３８】
第４左表示装置８は、第５左表示装置９からの応答を受信し、受信した応答に含まれる列車情報、動画像情報および表示コマンドから自身に係わる列車情報、動画像情報および表示コマンドを抽出する。そして、抽出した表示コマンドに基づき列車情報または動画像情報をディスプレイに表示する。また、第４左表示装置８は、伝送路４ｄが断しているので、上位からの応答要求がないため、応答しない。
【００３９】
この発明の実施の形態１に係る車内案内表示システムは、各車両２０に設置される表示装置１に中央装置３および他の表示装置１との伝送機能を設けることにより、別途伝送装置を各車両２０に設ける必要がなく、車両２０へ搭載する機器を減らすことができ、結果としてコストパフォーマンスが高くなる。
【００４０】
また、この発明の実施の形態１に係る車内案内表示システムは、表示装置１を中央装置３の２個の入出力チャネル２ａ、２ｂの間にループ状に接続し、表示装置１での伝送データをどちらかで表示するか切換えることができるので、伝送路４の１箇所に異常が生じたときでも逆方向からの伝送データによる表示に切換え、バックアップすることができる。
【００４１】
実施の形態２．
図４は、この発明の実施の形態３に係る車内案内表示システムの一例を表す図である。
この発明の実施の形態２に係る車内案内表示システムは、この発明の実施の形態１に係る車内案内表示システムと表示装置が異なり、それ以外は同様であるので、同様な部分に同じ符号を付記し説明を省略する。
この発明の実施の形態１に係る車内案内表示システムは、中央装置３の２個の入出力チャネル２ａ、２ｂの間に１０台の表示装置１がループ状に接続されているが、第５左表示装置９と第５右表示装置１０の２ポート同士９ｂ、１０ｂが接続されている。それゆえに、第５左表示装置９と第５右表示装置１０の２ポート９ｂ、１０ｂからの応答要求は衝突することがある。
一方、この発明の実施の形態２に係る車内案内表示システムは、表示装置１を中央装置３からの伝送に関する距離、即ち、中央装置３から送られる伝送データを中継する表示装置１の数が大きい程下位に位置すると設定する。そして、最も下位に位置する表示装置１では、上位に位置する表示装置１からの応答要求には応答するが、２ポートからの応答要求を禁止する設定を行う。
【００４２】
例えば、図４に図示した車内案内表示システムにおいては、第５右表示装置１０が最も下位に位置付けされており、第５左表示装置９と第４右表示装置１１からの応答要求に対して応答するが、応答要求は禁止されているので応答要求は行われない。
従って、第５右表示装置１０から第５左表示装置９に応答要求が行われないので、信号の衝突を回避することができる。
【符号の説明】
【００４３】
１  表示装置、２ａ、２ｂ  入出力チャネル、３  中央装置、４ａ、４ｂ、４ｃ、４ｄ、４ｅ、４ｆ、４ｇ、４ｈ、４ｊ、４ｋ、４ｌ  伝送路、５  第１左表示装置、６  第２左表示装置、７  第３左表示装置、８  第４左表示装置、９  第５左表示装置、１０  第５右表示装置、１１  第４右表示装置、１２  第３右表示装置、１３  第２右表示装置、１４  第１右表示装置、２０  車両。
【図１】
2011154164.tif 000003
【図２】
2011154164.tif 000004
【図３】
2011154164.tif 000005
【図４】
2011154164.tif 000006